(57)【要約】【課題】消弧カバーの取付け強度を確保しながら取外しを容易にする。【解決手段】上部フレーム１に相対するように固定された一対の固定接触子と、これらの固定接触子の間を橋絡する可動接触子とからなる開閉部を各相に備え、この開閉部を覆う消弧カバー３と固定接触子に形成された端子を覆う端子カバー４とが上部フレーム１に嵌め込まれる電磁接触器において、消弧カバー３の嵌め込み方向と直交する方向に端子カバー４を嵌め込み、この端子カバー４をその突条４ｇと上部フレーム１の条溝１ｄとの嵌合により上部フレーム１に回動不能に装着するとともに、端子カバー４の係合部４ｉを消弧カバー３の係合穴１１に係合させ、アークガスによる内圧上昇に対して消弧カバー３を端子カバー４で拘束するようにする。消弧カバー３の取付け強度を端子カバー４で補強する一方、端子カバー４を取り外せば消弧カバー４を容易に取り外すことができる。【選択図】      図２
2005332588.tif 000002
【特許請求の範囲】
【請求項１】
フレームに相対するように固定された一対の固定接触子と、これらの固定接触子の間を橋絡する可動接触子とからなる開閉部を各相に備え、この開閉部を覆う消弧カバーと前記固定接触子に形成された端子を覆う端子カバーとが前記フレームに嵌め込まれる電磁接触器において、
前記消弧カバーの嵌め込み方向と直交する方向に前記端子カバーを嵌め込み、この端子カバーを前記フレームに回動不能に嵌合させるとともに、前記端子カバーの一部を前記消弧カバーに係合させ、アークガスによる内圧上昇に対して前記消弧カバーを前記端子カバーで拘束するようにしたことを特徴とする電磁接触器。
【請求項２】
前記フレームに前記端子カバーの嵌め込み方向に沿って条溝を形成し、この条溝に嵌合する突条を前記端子カバーに形成したことを特徴とする請求項１記載の電磁接触器。
【発明の詳細な説明】
【技術分野】
【０００１】
この発明は電磁接触器に関し、詳しくは消弧カバーの保持構造に関する。
【背景技術】
【０００２】
電磁接触器は一般に、相対するように固定された一対の固定接触子と、これらの固定接触子の間を橋絡する可動接触子とからなる開閉部を各相に備え、開閉部は消弧を促す消弧カバーで覆われている。また、固定接触子に形成された端子は端子カバーで覆われ、指などの接触防止が図られている。電磁接触器の消弧カバーや端子カバーについては、例えば特許文献１に記載されているが、図７及び図８に基づいて以下に改めて説明する。
【０００３】
ここで、図７は電磁接触器の盤取付け姿勢を示す斜視図、図８は図７の電磁接触器の端子カバーを分離して示した図である。まず、図７において、絶縁物のフレームは上部フレーム１と下部フレーム２とに分割構成され、上部フレーム１に各相一対の固定接触子が相対するように固定され、下部フレーム２に収容された操作電磁石の可動鉄心には、各相の固定接触子の間を橋絡する可動接触子が支持されている。これらの固定接触子と可動接触子とからなる各相の開閉部は上部フレーム１の隔壁１ａにより相間が隔てられ、消弧カバー３により各相一体に覆われている。各相の相対する固定接触子の端部には電源側及び負荷側の端子がそれぞれ一体形成され、これらの端子は相間に跨る端子カバー４により覆われている。
【０００４】
図８に示すように、消弧カバー３は、電磁接触器の図示盤取付け姿勢において正面側となるカバー本体３ａと、その上下端から相間に入り込む舌状片３ｂとからなっている。この消弧カバー３は、上部フレーム１に図示実線矢印方向に沿って正面側から嵌め込まれ、カバー本体３ａの裏面に設けられた図示しない係合脚が上部フレーム１に係合することにより固定される。
【０００５】
また、図８において、端子カバー４は正面カバー４ａと側面カバー４ｂとからなるＬ形片で、正面カバー４ａには固定接触子の端子ねじ５に通じる丸穴６が設けられ、側面カバー４ｂには相間隔壁１ａを通すスリット７が設けられている。各丸穴６の裏側には、円筒状の絶縁壁４ｃが形成されている。端子カバー４には、左右一対のフック４ｄが絶縁壁４ｃから突出するように設けられ、また側面カバー４ｂの左右両端には突部４ｅが一体に形成されている。一方、上部フレーム１の左右側壁１ｂの内側には、端子カバー４の突部４ｅを挿入させる溝８が図８の上下方向に設けられている。端子カバー４は、図８の破線矢印方向に沿って上部フレーム１に嵌め込まれる。その際、突部４ｅが溝８内を摺動しながら、最終的にフック４ｄが消弧カバー３の舌状片３ｂに設けられたガス抜き穴９に係合して抜け止めされる。
【特許文献１】実開平２−１３８８３４号のマイクロフィルム（第７頁−第８頁、第１図−第４図）
【発明の開示】
【発明が解決しようとする課題】
【０００６】
電磁接触器は保守点検時に消弧カバーを外し、接点の消耗状態を目視確認する必要があり、そのためには消弧カバーは取外しが容易であることが望ましい。一方、短絡電流などの異常電流の遮断時にはアークエネルギにより電磁接触器の内圧が著しく上昇し、この内圧により消弧カバーが吹き飛ぶ危険がある。そのため、消弧カバーの取付けは強固にする必要があるが、取付け強度を増そうとすると保守点検時の取外しが困難になるという相反する問題がある。
【０００７】
これに対して、端子カバーの取付けは、端子カバーのみの保持を考慮すればよい。そこで、図７〜図８の従来技術においても、消弧カバー３は取外しの容易性を考慮しつつ一定の取付け強度を確保する一方、端子カバー４においては突部４ｅの溝８への挿入代Ｓはごく僅かしか設けられていない。そのため、図８において、端子カバー４のフック４ｄが消弧カバー３のガス抜き穴９に係合しているにしても、消弧カバー３が過大な内圧上昇により外れようとすると、フック４ｄを介して消弧カバー３から力を受ける端子カバー４は突部４ｅを支点に簡単に回動してしまいほとんど抵抗しない。
【０００８】
この発明の課題は、電磁接触器における消弧カバーの取付け強度を確保しながら、取外しを容易にして点検作業性を向上させることにある。
【課題を解決するための手段】
【０００９】
上記課題を解決するために、この発明は、フレームに相対するように固定された一対の固定接触子と、これらの固定接触子の間を橋絡する可動接触子とからなる開閉部を各相に備え、この開閉部を覆う消弧カバーと前記固定接触子に形成された端子を覆う端子カバーとが前記フレームに嵌め込まれる電磁接触器において、前記消弧カバーの嵌め込み方向と直交する方向に前記端子カバーを嵌め込み、この端子カバーを前記フレームに回動不能に嵌合させるとともに、前記端子カバーの一部を前記消弧カバーに係合させ、アークガスによる内圧上昇に対して前記消弧カバーを前記端子カバーで拘束するようにするものとする（請求項１）。
【００１０】
請求項１の発明は、消弧カバーを端子カバーで拘束するようにすることにより、消弧カバーの取付け強度を端子カバーに分担させるものである。これにより、消弧カバーの取付け強度を高めることができる一方、消弧カバー自体の取付け強度をある程度下げ、その分、取外しを容易にすることができる。
【００１１】
請求項１の発明において、前記フレームに前記端子カバーの嵌め込み方向に沿って条溝を形成し、この条溝に嵌合する突条を前記端子カバーに形成するようにすることができる（請求項２）。消弧カバーの嵌め込み方向に直交させて端子カバーに突条を形成することより、消弧カバーとの係合部を介して消弧カバーから端子カバーに作用する回転モーメントに対して十分な抵抗力を持たせることができる。
【発明の効果】
【００１２】
この発明によれば、端子カバーで消弧カバーを拘束することにより、消弧カバー自体の取付け強度を下げ、その分、取外しを容易にして、消弧カバーの取付け強度の確保と点検時の取外しの容易性とを両立させることができる。
【発明を実施するための最良の形態】
【００１３】
以下、図１〜図６に基づいて、この発明の実施の形態を説明する。ここで、図１は盤取付け姿勢の電磁接触器の斜視図、図２は図１の電磁接触器の消弧カバー及び端子カバーを分解した状態の斜視図、図３は図２を異なる方向から見た要部斜視図、図４は図３における端子カバーを裏側から見た斜視図、図５は図１における上部カバーの斜視図、図６は図１における消弧カバーを裏側から見た斜視図である。なお、従来例と対応する部分には同一の符号を用いるものとする。
【００１４】
図１〜図６において、消弧カバー３は従来例と同様に、カバー本体３ａと舌状片３ｂとからなり、舌状片３ｂには各２個のガス抜き穴１０があけられている。また、左右の舌状片３ｂには後述する端子カバー４の係合部が係合する方形の係合穴１１が設けられ、中央の舌状片３ｂには後述する端子カバー４のフックが係合する方形の係合穴１２が設けられている。更に、図６に示すように、消弧カバー３の裏側には４箇所に脚部３ｃが設けられ、その先端にフック３ｄが形成されている。なお、舌状片３ｂの内側には、ガス抜き穴１０からの異物の侵入を防止する防護板３ｄが隙間を介して平行に設けられている。また、消弧カバー３の中央部は、上部カバー１に一体形成されたＨ状のアタッチメント取付け部１ｃ（図２）を逃げるように切り欠かれている。
【００１５】
次に、端子カバー４には、正面カバー４ａから立ち下がるように左右一対の平板な脚片４ｆ（図４）が正面カバー４ａと同幅に設けられ、その先端外側に突条４ｇが脚片４ｆの全幅にわたって、正面カバー４ａと平行に一体形成されている。また、端子カバー４には、正面カバー４ａから立ち下がるように、左右一対の脚部４ｈが設けられ、その先端に消弧カバー３の係合穴１１と係合する係合部４ｉが一体形成されている。同様に、左右の脚部４ｈの間に位置するように脚部４ｊが設けられ、その先端に消弧カバー３の係合穴１２と係合するフック４ｋが一体形成されている。
【００１６】
一方、図２に示すように、上部ケース１における左右の側壁１ｂの内壁面には、端子カバー４の突条４ｇと嵌合する条溝１ｄが設けられている。また、図５に示すように、上部ケース１における左右の側壁１ｂの内側には左右各２箇所に、消弧カバー３の係合脚３ｃが係合する係合突部１ｅが設けられている。その他の構成は図７〜図８の従来例と実質的に同じである。
【００１７】
図２おいて、消弧カバー３は、上部フレーム１に図示実線矢印方向に沿って正面側から嵌め込まれ、脚部３ｃの弾性変形によりフック３ｄが上部フレーム１の係合突部１ｅに係合して固定される。次いで、端子カバー４は、上部フレーム１に図２及び図３の破線矢印方向に沿って、消弧カバー３の嵌め込み方向と直交する方向から嵌め込まれる。その際、突条４ｇが条溝１ｄに嵌合し、係合部４ｉが消弧カバー３の係合穴１１に係合し、フック４ｋが同じく係合穴１２に係合する。
【００１８】
なお、図４において、係合部４ｉの下面側には前端から奥側に向かって下降する傾斜面が設けられており、係合部４ｉはこの傾斜面が係合穴１１の下縁に当接しながら進入し、係合部４ｉの下面と係合穴１１の下縁とが密に当接する。また、フック４ｋの上面側には前端から奥側に向かって上昇する傾斜面が設けられており、フック４ｋはこの傾斜面が係合穴１２の上縁に当接しながら進入し、脚部４ｊの弾性変形により係合穴１２の上縁を通過して係合する。
【００１９】
上述した電磁接触器において、過大に上昇した内圧を受けて消弧カバー３が脱落しようとしても、消弧カバー３は係合部４ｉを介して端子カバー４で拘束されて脱落することがない。また、その場合、係合部４ｉを介して端子カバー４から力を受ける端子カバー４は、突条４ｇを支点とする回転モーメントを受けるが、突条４ｇは一定の長さＬ（図３）を有するため回動することがない。一方、端子カバー４自体はフック４ｋによる係合により、上部カバー１からの抜け出しが阻止される。
【００２０】
消弧カバー３は端子カバー４が装着された状態では、上記した通りに端子カバー４により脱落が阻止されるが、端子カバー４を取り外した状態では脚部３ｃの可撓性により容易に取外し可能である。なお、図示実施の形態では、端子カバー４を上部フレーム１に回動不能に嵌合させる手段として、上部フレーム１の条溝１ｄに端子カバーの突条４ｇを嵌合させる例を示したが、互いに嵌合する凹凸部の形状はこの例に限られるものではない。
【図面の簡単な説明】
【００２１】
【図１】この発明の実施の形態を示す電磁接触器の斜視図である。
【図２】図１の電磁接触器の消弧カバー及び端子カバーを分解した状態を示す図である。
【図３】図２を異なる方向から見た要部斜視図である。
【図４】図３における端子カバーを裏側から見た斜視図である。
【図５】図１における上部フレームの斜視図である。
【図６】図１における消弧カバーを裏側から見た斜視図である。
【図７】従来例を示す電磁接触器の斜視図である。
【図８】図７の電磁接触器の端子カバーを分解した状態を示す図である。
【符号の説明】
【００２２】
１    上部フレーム
１ｄ  条溝
３    消弧カバー
４    端子カバー
４ｇ  突条
４ｉ  係合部
４ｋ  フック
５    端子ねじ
１１    係合穴
１２    係合穴
【図１】
2005332588.tif 000003
【図２】
2005332588.tif 000004
【図３】
2005332588.tif 000005
【図４】
2005332588.tif 000006
【図５】
2005332588.tif 000007
【図６】
2005332588.tif 000008
【図７】
2005332588.tif 000009
【図８】
2005332588.tif 000010